(57)【要約】【課題】  本発明は、就寝用枕においてやわらかく、しかも枕において必要不可欠ともいえる高さを失うことが無く、また仰向けで寝たときと、横向きで寝たときにおける頭と首に負担の掛からないそれぞれの高さの違いを出しうる枕を新規に提供することを目的とするものである。【解決手段】  本発明は上記目的を有効に達成するために硬さ、形の違う２種類のスポンジで構成している。まず枕の外側を取り巻く部分であるが、スポンジを数ミリから十数ミリの立方体、あるいは球形などに大量に切断、加工し、それらをネット３に充填して、枕を形作り、そしてこれらメインスポンジ１群を上下に２分する形態に、枕の中央にほぼ枕と同じ大きさ、あるいは小さくした板状の補助スポンジ２を挿入する。すなわち補助スポンジ２を中心に上部スポンジ１群と下部スポンジ１群で挟んだ積層構造で、これを中材とし、枕の形態をなす。【選択図】    図２
2009172426.tif 000002
【特許請求の範囲】
【請求項１】
スポンジを数ミリから十数ミリの立方体、あるいは球形などに大量に切断、加工し、それらを枕カバー内に充填して、枕を形作り、そして、これらメインスポンジ群を上下に２分する形態に、ほぼ枕と同じ大きさ、あるいは小さくした、厚さ10ミリから30ミリの板状の補助スポンジを挿入して、この積層されてできた物を枕の中材とし、構成されることを特徴とする枕。
【請求項２】
請求項１記載の枕であって、メインスポンジ群と補助スポンジの硬さを異ならせ、メインスポンジ群より補助スポンジの硬さを硬くしたことを特徴とする枕。
【請求項３】
請求項１記載の枕であって、メインスポンジ群、及び、補助スポンジのこれら中材をネットに入れることを特徴とする枕。
【発明の詳細な説明】
【技術分野】
【０００１】
本発明は、樹脂発泡体を積層することによって形成された枕に関する。
【背景技術】
【０００２】
ポリエステル綿を材料とした特願平８−３０６３１４号公報に記載の「吸湿性抱き枕」が提案されている。この枕はポリエステル棉を枕カバーに詰めて、吸湿性の事を考えて作られているが、ポリエステル綿は通気性も良くやわらかくてそれでいて反発力もあるのだが、就寝中、徐徐にその反発力を失い、頭を乗せていた場所がくぼみ、枕本来の目的である高さを確保出来ない状態となっていることが有る。それを、次の就寝時に中材のポリエステル綿を寄せて高さを確保しつつも使用をつづけると、そのうちに、中材のポリエステル綿が全体的に反発力を失いやわらかさ及び高さを維持することが出来なくなる。したがって、購入した当時の性能を求めようとすると、中材のポリエステル綿の買い替えを余儀なくされることとなる。
また登録実用新案第３０３３３７５号公報などのような枕が提案されている。この枕は、枕形状のキャビティを有した金型内で樹脂を発泡させることにより作製されるものである。ところが樹脂発泡体は通気性が悪いため、頭部からの熱が内部にこもって蒸れ、使用中に不快感を与えている。
【０００３】
このため、従来では、樹脂発泡体に通気孔を多数形成するか、通気性を有した天然素材を内部に配置して、熱を逃がす構造としている。
【先行技術文献】
【特許文献】
【０００４】
【特許文献１】特願平８−３０６３１４号公報
【特許文献２】登録実用新案第３０３３３７５号公報
【発明の概要】
【発明が解決しようとする課題】
【０００５】
しかしながら、通気孔を形成する場合には、孔形成のための加工が面倒で、コストが高くなっていると共に、外観が劣化する問題を有している。天然素材を使用する場合も同様にコスト高となっており、しかも、構造が複雑となってくる。また、天然素材は通気性を維持するために手入れが必要であり、簡便に使用することができない問題を有している。
【０００６】
本発明は、このような従来の問題点を考慮してなされたものであり、通気性を有する構造とすることが簡単で、安価で製造することができ、しかも手入れが不要で使用上、便利な枕を提供することを目的とする。
【課題を解決するための手段】
【０００７】
上記目的を達成するため、請求項１の発明は、小さく切断、加工したメインスポンジ群１と、そのメインスポンジ群１を上下に２分する形態に補助スポンジ２を挿入して、積層されていることを特徴とする。
【０００８】
請求項２の発明は、請求項１記載の枕であって、メインスポンジ群１はやわらかく、補助スポンジ２は硬い材質の物を使用していることを特徴とする。
【０００９】
請求項３の発明は、請求項１記載の枕であって、補助スポンジ２を中心に、周囲をメインスポンジ群１が取り囲んだ積層形態を成す中材を、ネット３に入れたことを特徴とする。
【発明の効果】
【００１０】
請求項１の発明によれば、中材がメインスポンジ群１と補助スポンジ２の積層構造によってなるので、ソフト感及び硬度が枕に付与される。そして、硬度が付与されることによって、弾力性を維持し、又、復元力も減少することなく、枕の外形を良好に維持することができる。
【００１１】
又、上部メインスポンジ群１の隙間に存在する空間によって通気性が付与されて熱がこもることがなくなるので、頭部より加わった熱が速やかに除去でき、快適に使用することができる。
【００１２】
それに、上部メインスポンジ群１の隙間に存在する空間を得ることで、スポンジだけでは出しえないやわらかさを生むことができる。
【００１３】
又、下部メインスポンジ群１と、その隙間に存在する空間によって形成される中材の下半分の厚みは、補助スポンジ２を硬めにすることで、補助スポンジ２は頭の重みに押しつぶされることなく下部メインスポンジ群１を加圧する、このため下部メインスポンジ群１は、頭の重みが部分的に加わるのではなく、広い範囲で加重を受ける。よって下部メインスポンジ群１の収縮はそれほど起こらず、それゆえ枕の高さとして残すことが可能となる。
【００１４】
請求項３の発明によれば、ネット３は、枕カバー４を外したときに、中材、特に上部メインスポンジ群１及び下部メインスポンジ群１が外に散乱してしまう、このことを防ぐためにまず中材をネット３に収めた後、枕カバー４をかぶせる。こうすることで中材が散乱することを防ぐと共に、中材を外に出して洗濯しようとするとき、中材をネット３から出さずに、入れたままで、洗濯用ネットとしても活用することが出来る。
【図面の簡単な説明】
【００１５】
【図１】図２を表すための切断部分。
【図２】枕の断面図である。
【図３】仰向けで寝たときの頭の沈み具合を表した図である。
【図４】横向きで寝たときの頭の沈み具合を表した図である。
【発明を実施するための形態】
【００１６】
図１は、本発明の一実施形態の枕を示す。この枕は、図２に示すように、上部メインスポンジ群１と、その下に位置する補助スポンジ２、さらにそれを支える下部メインスポンジ群１が積層された構造となっている。
【００１７】
上部メインスポンジ群１は、スポンジを数ミリから十数ミリの立方体、あるいは球形などに大量に切断、加工し、それらをネット３内に充填して、枕を形作ったもので、スポンジとスポンジの間にできた隙間は中材全体にいきわたっていて、当然、隙間が有る分上部スポンジ群１としての体積が増える。
【００１８】
このメインスポンジ群１は、この様に空気を多く含みやわらかいため、上に物をのせたとき、沈み込みは深くなるが、その沈み込む深さは、上に乗せる物の重さによって変わる。又、同じ重さの物を乗せるとするならば、その枕に接する面積が異なれば、沈み込む深さは当然異なる値を示すこととなる。
【００１９】
ここで、メインスポンジ群１の変化について考えてみると、重さが一定で、少ない面積で枕に接したときは、深く沈み込み、広い面積で枕に接したときは、浅く沈み込む。このことを図３、図４の頭５で考えてみると、仰向けで寝たときは、後頭部に頭の重みが集中するため深く沈み込み（図３）、横向きで寝たときは側頭部、頬、あごに頭の重みが分散するため、沈み込みは浅くなる（図４）。すなわち、枕の高さは、仰向けでは低く、横向きでは高く作用するという結果が生まれる。この結果は、横向きで寝たとき、肩の高さで高くなった分を、枕が高くなるように作用して、首への負担をなくしてくれる有効な手助けとなりうる。
【００２０】
又、それぞれの隙間は構造上すべてつながって枕全体にいきわたっているため、空気の移動が頭を動かしたときも、動きのない時も、上部メインスポンジ群１内で起こり、その空気の移動は、補助スポンジ２より上、すなわち枕の上半分から、ネット３及び枕カバー４を経て、外気との入れ替わりが起こる。それらの作用が冷却効果を生み頭や頬がむれるのを防いでくれる。
【００２１】
補助スポンジ２は、２０mm程度の厚さで、硬めのスポンジを使用し,使用者の頭部５の
重さが作用しても、弾力性を維持し、反発力も減少することのないものを選ぶとよい。そうすることにより、枕全体が変形することを防ぐことができる。
【００２２】
下部メインスポンジ群１は上部メインスポンジ群１と同じものであるが、その働きは、上部メインスポンジ群１とはまったく違ったものとなる。すなわち、頭５の重みが、上部メインスポンジ群１から補助スポンジ２に伝わるが、スポンジ２の硬さと厚みにより、補助スポンジ２は型崩れすることなく、下部メインスポンジ群１を広範囲に加圧する。そのため下部メインスポンジ群１の収縮はそれほど起こらず、それゆえ枕の高さとして残すことが可能となる。
【００２３】
又、この３層からなる積層構造は、上下対称であるため、就寝中、汗をかいたときなど、枕を裏返すことにより、乾いた面を上に持ってくることができ、快適さを再び取り戻すことができる。また、上記の機能もそのまま持続させることが出来る。
【実施例】
【００２４】
以下、本発明の一実施例を図１〜図４に基づいて段階的に組み立てて説明する。図２で、メインスポンジ群１は枕のやわらかさを発揮する元となる部材で、やわらかいスポンジを1、5センチの立方体に大量に切断、加工し、それらを、縦40センチ、横60センチのネット３内に無動作に充填して、枕を形作ったもので、スポンジを小さく切断し充填することにより、スポンジとスポンジの間にできた隙間は枕全体に広がり、当然、隙間が多く存在することでメインスポンジ群１としての体積が増え、柔らかさをもたらし、なお且つ材料の節約にもなる。
【００２５】
この、ネット３内に満たされたスポンジ群１を上下に２分する形態に、暑さ2センチで、縦35センチ、横55センチの、ネット３よりやや小さくした硬めの補助スポンジ２を１枚挿入する。硬めのスポンジを使用することで、使用者の頭部５の重さが作用しても、弾力性を維持し、反発力も減少することなく、枕全体が変形することをも防ぐことができる。
【００２６】
ネット３に入れることで、枕カバー４を外して洗濯するときに、スポンジ群１が散らばるのを防ぐことができ、又、枕本体を洗濯するときは、洗濯ネットとして活用できる。
【００２７】
又、この３層からなる積層構造は、上下対称であるため、就寝中、汗をかいたときなど、枕を裏返すことにより、乾いた面を上に持ってくることができ、快適さは再び取り戻すことができる。
【符号の説明】
【００２８】
１  スポンジ群
２  補助スポンジ
３  ネット
４  枕カバー
５  頭
【図１】
2009172426.tif 000003
【図２】
2009172426.tif 000004
【図３】
2009172426.tif 000005
【図４】
2009172426.tif 000006